(57)【要約】【課題】複数の排紙トレイを具備する画像形成装置を複数の利用者で共用する場合に，複数の利用者の印刷物が同じ排紙トレイに重複して排出されることを防止できるとともに，各利用者が自分の印刷物がどの排紙トレイに排出されるかを容易に把握でき，しかも手間を少なくすること。【解決手段】印刷ジョブの送信者に関する送信者情報の取得（Ｓ１０４）と，排紙トレイごとの利用者に関するトレイ利用設定情報の取得（Ｓ１０５）とを行い，これら取得情報に基づいて印刷ジョブの排出先とする排紙トレイを選択する（Ｓ１０９）。さらに，選択した排紙トレイへの印刷物の排出枚数がその排紙トレイの排出許容枚数を超えないように，トレイ利用設定情報に設定された優先順位に従って排出先とする排紙トレイを順次切り替える（Ｓ１１１）。【選択図】図７
2004155536.tif 000002
【特許請求の範囲】
【請求項１】
複数の排紙トレイを具備し，複数の印刷ジョブ送信装置それぞれから受信した印刷ジョブに従って画像形成した記録紙を前記排紙トレイに排出する画像形成装置において，
前記印刷ジョブの送信者に関する送信者情報を前記印刷ジョブ送信装置から取得する送信者情報取得手段と，
前記送信者情報と前記排紙トレイごとの利用者に関するトレイ利用設定情報とに基づいて，前記記録紙の排出先とする前記排紙トレイを選択するトレイ選択手段と，
を具備してなることを特徴とする画像形成装置。
【請求項２】
前記トレイ利用設定情報を当該画像形成装置と通信可能な所定のデータ管理装置から取得するトレイ利用設定情報取得手段を具備してなる請求項１に記載の画像形成装置。
【請求項３】
前記トレイ利用設定情報を設定するトレイ利用設定手段と，
設定された前記トレイ利用設定情報を記憶する設定情報記憶手段を具備してなる請求項１に記載の画像形成装置。
【請求項４】
前記トレイ利用設定手段が，利用者が設定済み又は未設定の前記排紙トレイに関する設定トレイ実績情報を前記ジョブ送信装置に対して送信し，該ジョブ送信装置から返信される情報に従って前記トレイ利用設定情報を設定するものである請求項３に記載の画像形成装置。
【請求項５】
利用者が設定済み又は未設定の前記排紙トレイに関する設定トレイ実績情報を所定のデータ管理装置から取得する設定トレイ実績情報取得手段と，
前記設定トレイ実績情報に基づいて前記トレイ利用設定情報を設定するトレイ利用設定手段と，
設定された前記トレイ利用設定情報を所定のデータ管理装置に送信する設定情報送信手段と，
前記データ管理装置から前記トレイ利用設定情報を取得する設定情報取得手段と，
を具備してなる請求項１に記載の画像形成装置。
【請求項６】
前記トレイ利用設定手段が，複数の前記排紙トレイを１人の利用者が使用する設定を行なう場合に，該複数の排紙トレイについて優先順位を設定可能に構成されてなる請求項３〜５のいずれかに記載の画像形成装置。
【請求項７】
前記トレイ選択手段が，選択した前記排紙トレイへの前記記録紙の排出枚数が該排紙トレイの排出許容枚数を超えないように，前記優先順位に従って前記記録紙の排出先とする前記排紙トレイを順次切り替えるよう構成されてなる請求項６に記載の画像形成装置。
【請求項８】
前記トレイ選択手段が，前記トレイ利用者設定情報に基づいて前記印刷ジョブ送信装置に対して前記記録紙の排出先とする前記排紙トレイの選択肢を通知し，前記印刷ジョブ送信装置から受信した情報に基づいて前記記録紙の排出先とする前記排紙トレイを選択するものである請求項１〜７のいずれかに記載の画像形成装置。
【請求項９】
複数の排紙トレイを備え所定の印刷ジョブ送信装置から受信した印刷ジョブに従い画像形成した記録紙を前記排紙トレイに排出する１又は複数の画像形成装置と通信可能なデータ管理装置であって，
前記画像形成装置の前記排紙トレイごとの利用者に関するトレイ利用設定情報を記憶する設定情報記憶手段と，
前記画像形成装置に対して前記トレイ利用設定情報を送信するトレイ利用設定情報送信手段と，
を具備してなることを特徴とするデータ管理装置。
【請求項１０】
前記トレイ利用設定情報を設定するトレイ利用設定手段を具備してなる請求項９に記載のデータ管理装置。
【請求項１１】
前記設定情報記憶手段における前記トレイ利用設定情報の記憶内容に基づいて利用者が設定済み又は未設定の前記排紙トレイに関する設定トレイ実績情報を前記画像形成装置又は前記印刷ジョブ送信装置に送信する設定トレイ実績情報送信手段と，
前記トレイ利用設定情報を前記画像形成装置又は前記印刷ジョブ送信装置から取得するトレイ利用設定情報取得手段と，
を具備してなる請求項９に記載のデータ管理装置。
【請求項１２】
前記トレイ利用者設定情報に基づいて前記印刷ジョブ送信装置に対して前記記録紙の排出先とする前記排紙トレイの選択肢を通知する排紙トレイ選択肢通知手段を具備してなる請求項９〜１１のいずれかに記載のデータ管理装置。
【請求項１３】
複数の排紙トレイを備え所定の印刷ジョブ送信装置から受信した印刷ジョブに従い画像形成する１又は複数の画像形成装置と通信可能なコンピュータに実行させるためのデータ管理プログラムであって，
前記画像形成装置の前記排紙トレイごとの利用者に関するトレイ利用設定情報設定情報を記憶手段に記憶させる設定情報記憶手順と，
前記画像形成装置に対して前記トレイ利用設定情報を送信するトレイ利用設定情報送信手順と，
を前記コンピュータに実行させるためのデータ管理プログラム。
【請求項１４】
複数の排紙トレイを備えた１又は複数の画像形成装置に対して印刷ジョブを送信する印刷ジョブ送信装置において，
前記画像処理装置に対して前記印刷ジョブの送信者に関する情報を送信する送信者情報送信手段を具備してなることを特徴とする印刷ジョブ送信装置。
【請求項１５】
利用者が設定済み又は未設定の前記排紙トレイに関する設定トレイ実績情報を前記画像形成装置から又は該画像装置及び当該印刷ジョブ送信装置と通信可能なデータ管理装置から取得する設定トレイ実績情報取得手段と，前記設定トレイ実績情報を用いて当該印刷ジョブ送信装置が利用する前記排紙トレイに関するトレイ利用設定情報を設定するトレイ利用設定手段と，
設定された前記トレイ利用設定情報を前記画像形成装置又は前記データ管理装置へ送信するトレイ利用設定情報送信手段と，
を具備してなる請求項１４に記載の印刷ジョブ送信装置。
【請求項１６】
複数の排紙トレイを備えた１又は複数の画像形成装置に対して印刷ジョブを送信する処理をコンピュータに実行させる印刷ジョブ送信プログラムにおいて，
前記画像処理装置に対して前記印刷ジョブの送信者に関する情報を送信する送信者情報送信手順をコンピュータに実行させる印刷ジョブ送信プログラム。
【請求項１７】
利用者が設定済み又は未設定の前記排紙トレイに関する設定トレイ実績情報を前記画像形成装置から，或いは該画像装置及び当該印刷ジョブ送信装置と通信可能な所定のデータ管理装置から取得する設定トレイ実績情報取得手順と，
前記設定トレイ実績情報を用いて当該印刷ジョブ送信装置が利用する前記排紙トレイに関するトレイ利用設定情報を設定するトレイ利用設定手順と，
設定された前記トレイ利用設定情報を前記画像形成装置又は前記データ管理装置へ送信するトレイ利用設定情報送信手順と，
をコンピュータに実行させるための請求項１６に記載の印刷ジョブ送信プログラム。
【発明の詳細な説明】
【０００１】
【発明の属する技術分野】
本発明は，複数の排紙トレイを具備する画像形成装置，該画像形成装置と通信可能なデータ管理装置及びデータ管理プログラム，前記画像形成装置に印刷ジョブを送信する印刷ジョブ送信装置及び印刷ジョブ送信プログラムに関するものである。
【０００２】
【従来の技術】
現在，複数の排紙トレイを具備し，プリンタドライバがインストールされたパーソナルコンピュータ等（印刷ジョブ送信装置の一例，以下，ホスト装置という）から受信した印刷ジョブに従って画像形成した記録紙を前記排紙トレイに排出する画像形成装置（プリンタやコピー機能を備えた複合機等）が普及している。このような画像形成装置において，画像形成した記録紙（印刷物）を複数の前記排紙トレイのうちのいずれに排出するかを選択する必要があるが，複数の利用者の印刷物が同じ排紙トレイに排出されないことが望ましい。例えば，特許文献１には，ホスト装置（のプリンタドライバ）から特に排出先の指定がなければ，空いている（未使用の）排紙トレイに印刷物を排出し，いずれの排紙トレイに排出したかをホスト装置に通知する技術が示されている。
【０００３】
【特許文献１】
特開平１１−１４７６４７号公報
【０００４】
【発明が解決しようとする課題】
しかしながら，特許文献１に示される技術では，排紙トレイの使用状況によって印刷物の排出先（排紙トレイ）が変わるため，利用者にとっては，どの排紙トレイに自分の印刷物が排出されたかが分かりにくいという問題点があった。また，ホスト装置に印刷物の排出先が通知されたとしても，利用者がこれを印刷の都度確認することは面倒であるという問題点もあった。
このため，画像形成装置を共用する利用者間において，各自が使用する排紙トレイが重複しないように予め申し合わせておき，利用者それぞれが，自身の使用する排紙トレイ（記録紙の出力先）を各自のホスト装置（のプリンタドライバ）に設定しておくという運用が行われる場合が多い。
これにより，複数の利用者の印刷物（記録紙）が同じ排紙トレイに重複して排出されることを防止できるとともに，各利用者は自分の記録紙がどの排紙トレイに排出されるかが固定されるため，印刷の都度記録紙の排出先を確認するという手間が省ける。しかしながら，このような運用を行う場合，利用者が排紙トレイの設定を行うごとに，画像形成装置を共用する他の利用者の排紙トレイの設定状況（他の利用者が使用する排紙トレイ）を確認する（空きの排紙トレイを確認する）必要があり，これが面倒であるという問題点があった。
従って，本発明は上記事情に鑑みてなされたものであり，その目的とするところは，複数の排紙トレイを具備する画像形成装置を複数の利用者で共用する場合に，複数の利用者の印刷物が同じ排紙トレイに重複して排出されることを防止できるとともに，各利用者が自分の印刷物がどの排紙トレイに排出されるかを容易に把握でき，しかも他の利用者に利用状況を問い合わせるような手間が生じない画像形成装置，該画像形成装置と通信可能なデータ管理装置及びデータ管理プログラム，前記画像形成装置に印刷ジョブを送信する印刷ジョブ送信装置及び印刷ジョブ送信プログラムを提供することにある。
【０００５】
【課題を解決するための手段】
上記目的を達成するために本発明は，複数の排紙トレイを具備し，複数の印刷ジョブ送信装置それぞれから受信した印刷ジョブに従って画像形成した記録紙を前記排紙トレイに排出する画像形成装置において，前記印刷ジョブの送信者に関する送信者情報を前記印刷ジョブ送信装置から取得する送信者情報取得手段と，前記送信者情報と前記排紙トレイごとの利用者に関するトレイ利用設定情報とに基づいて，前記記録紙の排出先とする前記排紙トレイを選択するトレイ選択手段と，を具備してなることを特徴とする画像形成装置として構成されるものである。
これにより，受信した前記印刷ジョブごとにその送信者が特定され，前記排紙トレイごとの利用者に関する前記トレイ利用設定情報に基づくことにより，特定された送信者が前記排紙トレイのいずれを使用するよう設定されているかを特定（排紙トレイを選択）できる。従って，前記トレイ利用設定情報を予め設定しておくことにより，常に予め設定された前記排紙トレイに印刷物が排出されるので，当該画像形成装置を共用する各利用者は，自己の印刷物の排出先（自己の使用する排紙トレイ）を容易に把握できる。
【０００６】
また，前記トレイ利用設定情報は，当該画像形成装置と通信可能な所定のデータ管理装置で一括設定して記憶し，該データ管理装置から取得するよう構成することが考えられる。即ち，前記トレイ利用設定情報を当該画像形成装置と通信可能な所定のデータ管理装置から取得するトレイ利用設定情報取得手段を具備するものである。
また，これに限らず，当該画像形成装置自体が，前記トレイ利用設定情報を設定するトレイ利用設定手段と，設定された前記トレイ利用設定情報を記憶する設定情報記憶手段を具備する形態も考えられる。
ここで，前記トレイ利用設定手段としては，当該画像形成装置自体が具備する操作パネル等の所定の入力手段を用いて設定入力を行うものの他に，利用者が設定済み又は未設定の前記排紙トレイに関する設定トレイ実績情報を前記ジョブ送信装置に対して送信し，該ジョブ送信装置から返信される情報に従って前記トレイ利用設定情報を設定するものも考えられる。
また，前記トレイ利用設定情報は，当該画像形成装置で設定し，その記憶は当該画像形成装置と通信可能な所定のデータ管理装置で行う構成も考えられる。即ち，利用者が設定済み又は未設定の前記排紙トレイに関する設定トレイ実績情報を所定のデータ管理装置から取得する設定トレイ実績情報取得手段と，前記設定トレイ実績情報に基づいて前記トレイ利用設定情報を設定するトレイ利用設定手段と，設定された前記トレイ利用設定情報を所定のデータ管理装置に送信する設定情報送信手段と，前記データ管理装置から前記トレイ利用設定情報を取得する設定情報取得手段と，を具備するものである。
以上のような構成により，当該画像形成装置や前記データ管理装置において前記排紙トレイそれぞれの利用者を一括して（まとめて）設定できる，或いは利用者が既に設定されている若しくは未だ設定されていない（未設定の）前記排紙トレイの情報を得た上で設定できるので，前記排紙トレイに利用者設定を行うごとに他の利用者の設定状況を問い合わせる手間を要することなく各利用者が使用する前記排紙トレイの重複設定を防止できる。
【０００７】
また，前記トレイ利用設定手段が，複数の前記排紙トレイを１人の利用者が使用する設定を行なう場合に，該複数の排紙トレイについて優先順位を設定可能に構成されたものも考えられる。
この優先順位を用いることにより，様々な応用が考えられる。
例えば，前記トレイ選択手段が，選択した前記排紙トレイへの前記記録紙の排出枚数が該排紙トレイの排出許容枚数を超えないように，前記優先順位に従って前記記録紙の排出先とする前記排紙トレイを順次切り替えるよう構成することが考えられる。
これにより，前記印刷ジョブによる印刷枚数が多い場合であっても，１つの前記排紙トレイに印刷物が溢れて排出されることを防止できる。
この他にも，最も優先順位の高い前記排紙トレイが使用中である場合には，次に優先順位の高い前記排紙トレイに前記記録紙（印刷物）を排出するよう構成すること等も考えられる。
【０００８】
また，前記トレイ選択手段が，前記トレイ利用者設定情報に基づいて前記印刷ジョブ送信装置に対して前記記録紙の排出先とする前記排紙トレイの選択肢を通知し，前記印刷ジョブ送信装置から受信した情報に基づいて前記記録紙の排出先とする前記排紙トレイを選択するよう構成されたものも考えられる。
このように，例えば利用する前記排紙トレイを複数設定している場合等に，利用者に印刷物の出力先を任意に選択させるものであってもよい。
【０００９】
また，本発明は，前記画像形成装置とともに画像形成システムを構成し，前記排紙トレイごとの利用者に関するトレイ利用設定情報するデータ管理装置として捉えることもできる。即ち，複数の排紙トレイを備え所定の印刷ジョブ送信装置から受信した印刷ジョブに従い画像形成した記録紙を前記排紙トレイに排出する１又は複数の画像形成装置と通信可能なデータ管理装置であって，前記画像形成装置の前記排紙トレイごとの利用者に関するトレイ利用設定情報を記憶する設定情報記憶手段と，前記画像形成装置に対して前記トレイ利用設定情報を送信するトレイ利用設定情報送信手段と，を具備してなることを特徴とするデータ管理装置である。
これにより，前記画像形成装置それぞれが前記トレイ利用設定情報を記憶する手段を具備する必要がなくなる。
【００１０】
また，当該データ管理装置に記憶させる前記トレイ利用設定情報を，当該データ管理装置で設定する構成や，前記画像形成装置或いは前記印刷ジョブ送信装置で設定したものを取得する構成が考えられる。
即ち，当該データ管理装置自体が前記トレイ利用設定情報を設定するトレイ利用設定手段を具備するものや，前記設定情報記憶手段における前記トレイ利用設定情報の記憶内容に基づいて利用者が設定済み又は未設定の前記排紙トレイに関する設定トレイ実績情報を前記画像形成装置又は前記印刷ジョブ送信装置に送信する設定トレイ実績情報送信手段と，前記トレイ利用設定情報を前記画像形成装置又は前記印刷ジョブ送信装置から取得するトレイ利用設定情報取得手段と，を具備するものである。
以上のような構成により，当該データ管理装置，又は前記画像形成装置若しくは前記印刷ジョブ送信装置において前記排紙トレイそれぞれの利用者を一括して（まとめて）設定できる，或いは利用者が既に設定済みの若しくは未だ設定されていない（未設定の）前記排紙トレイの情報を得た上で設定できるので，前記排紙トレイに利用者設定を行うごとに他の利用者の設定状況を問い合わせる必要がなくなる。
【００１１】
また，本発明は，前記データ管理装置の機能を実現するデータ管理プログラムとして捉えてもよい。即ち，複数の排紙トレイを備え所定の印刷ジョブ送信装置から受信した印刷ジョブに従い画像形成する１又は複数の画像形成装置と通信可能なコンピュータに実行させるためのデータ管理プログラムであって，前記画像形成装置の前記排紙トレイごとの利用者に関するトレイ利用設定情報設定情報を記憶手段に記憶させる設定情報記憶手順と，前記画像形成装置に対して前記トレイ利用設定情報を送信するトレイ利用設定情報送信手順と，を前記コンピュータに実行させるためのデータ管理プログラムである。
【００１２】
また，本発明は，前記画像形成装置とともに画像形成システムを構成し，前記画像形成装置に印刷ジョブを送信する印刷ジョブ送信装置として捉えることもできる。即ち，複数の排紙トレイを備えた１又は複数の画像形成装置に対して印刷ジョブを送信する印刷ジョブ送信装置において，前記画像処理装置に対して前記印刷ジョブの送信者に関する情報を送信する送信者情報送信手段を具備してなることを特徴とする印刷ジョブ送信装置である。
また，当該印刷ジョブ送信装置において前述したトレイ利用設定情報を設定する場合には，利用者が設定済み又は未設定の前記排紙トレイに関する設定トレイ実績情報を前記画像形成装置から又は該画像装置及び当該印刷ジョブ送信装置と通信可能なデータ管理装置から取得する設定トレイ実績情報取得手段と，前記設定トレイ実績情報を用いて当該印刷ジョブ送信装置が利用する前記排紙トレイに関するトレイ利用設定情報を設定するトレイ利用設定手段と，設定された前記トレイ利用設定情報を前記画像形成装置又は前記データ管理装置へ送信するトレイ利用設定情報送信手段と，を具備するものが考えられる。
【００１３】
また，本発明は，前記印刷ジョブ送信装置の機能を実現する印刷ジョブ送信プログラムとして捉えてもよい。即ち，複数の排紙トレイを備えた１又は複数の画像形成装置に対して印刷ジョブを送信する処理をコンピュータに実行させる印刷ジョブ送信プログラムにおいて，前記画像処理装置に対して前記印刷ジョブの送信者に関する情報を送信する送信者情報送信手順をコンピュータに実行させる印刷ジョブ送信プログラムである。
さらに，利用者が設定済み又は未設定の前記排紙トレイに関する設定トレイ実績情報を前記画像形成装置から又は該画像装置及び当該印刷ジョブ送信装置と通信可能なデータ管理装置から取得する設定トレイ実績情報取得手順と，前記設定トレイ実績情報を用いて当該印刷ジョブ送信装置が利用する前記排紙トレイに関するトレイ利用設定情報を設定するトレイ利用設定手順と，設定された前記トレイ利用設定情報を前記画像形成装置又は前記データ管理装置へ送信するトレイ利用設定情報送信手順と，をコンピュータに実行させるものも考えられる。
【００１４】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像形成システムＸの全体構成図，図２は本発明の実施の形態に係る画像形成システムＸを構成するプリンタの主要部の概略構成を表すブロック図，図３は本発明の実施の形態に係る画像形成システムＸを構成するプリンタが具備するプリンタコントローラの概略構成を表すブロック図，図４は本発明の実施の形態に係る画像形成システムＸを構成する機器管理サーバが実行するプログラムの概略機能構成を表すブロック図，図５は本発明の実施の形態に係る画像形成システムＸを構成するホスト装置にインストールされるプリンタドライバの概略機能構成を表すブロック図，図６は本発明の実施の形態に係る画像形成システムＸを構成する機器管理サーバに登録されるトレイ利用設定情報及びその関連情報の構成を表す図，図７は本発明の実施の形態に係る画像形成システムＸを構成するプリンタのプリンタコントローラの処理手順を表すフローチャート，図８は本発明の実施の形態に係る画像形成システムＸを構成する機器管理サーバにおけるプリンタからの情報取得処理の手順を表すフローチャート，図９は本発明の実施の形態に係る画像形成システムＸを構成するホスト装置における排出トレイ設定画面を表す図である。
【００１５】
まず，図１を用いて本発明の実施の形態に係る画像形成システムＸの全体構成につて説明する。
本画像形成システムＸは，複数のプリンタ１０（画像形成装置の一例），複数のホスト装置２０（印刷ジョブ送信装置の一例），及び機器管理サーバ３０（データ管理装置の一例）がＬＡＮ４０により相互に通信可能に接続されて構成されている。
前記プリンタ１０は，複数の出力トレイ１１（排紙トレイの一例）を具備し，前記ホスト装置２０それぞれから受信した印刷ジョブに従って記録紙に画像形成を行い，画像形成した記録紙（以下，印刷物という）を前記出力トレイ１１に排出する。
前記ホスト装置２０は，ＣＰＵ，キーボード等の入力装置，ＣＲＴ等の表示装置，ハードディスク等の記憶装置，及びＬＡＮによる通信インターフェース等を具備する一般的なパーソナルコンピュータ等の計算機である。前記ホスト装置２０それぞれには，当該ホスト装置２０に記憶される各種印刷データを前記プリンタ１０それぞれに対応する印刷ジョブに変換するとともに，前記プリンタ１０への前記印刷ジョブの送信処理や各種印刷条件の設定等を行うプリンタドライバ（前記印刷ジョブ送信プログラムの一例）がインストールされている。
前記機器管理サーバ３０は，ＣＰＵ，キーボード等の入力装置，ＣＲＴ等の表示装置，ハードディスク等の記憶装置，及びＬＡＮによる通信インターフェース等を具備する一般的なサーバ計算機等の計算機であり，本画像形成システムＸにおける各種印刷処理に関する情報を前記ハードディスク装置（設定情報記憶手段の一例）に記憶するとともに，該情報を前記プリンタ１０や前記ホスト装置２０ととの間で通信するものである。
【００１６】
図２は，前記プリンタ１０の主要部の概略構成を表すブロック図である。図２に示すように，前記プリンタ１０は，現像装置や定着装置等の記録紙に画像を形成するための機器から構成されるプリンタエンジン１２と，該プリンタエンジン１２の動作を制御するプリンタコントローラ１３と，前記プリンタエンジン１２によって画像形成された記録紙（印刷物）が排出される複数のトレイからなる前記出力トレイ１１とを具備している。前記プリンタコントローラ１３を除き，これらの構成は従来の一般的なプリンタ（前記排出トレイ１１を複数備えたプリンタ）と特に変わることはないのでここでは説明を省略する。また，前記プリンタ１０は，図２に示した以外にも，一般的な従来の一般的なプリンタが備える各種機器と同様の機器を備えている。
【００１７】
図３に，前記プリンタコントローラ１３の概略構成を表すブロック図を示す。前記プリンタコントローラ１３は，前記ホスト装置２０からＬＡＮ４０を介して前記印刷ジョブを受信する印刷ジョブ受信部１３１と，受信した前記印刷ジョブの内容を解析する印刷ジョブ解析部１３２と，該印刷ジョブ解析部１３２による前記印刷ジョブの解析結果に従って記録紙に画像が形成されるよう前記プリンタエンジン１２を制御する印刷処理制御部１３３と，プリント条件や各利用者が使用する前記出力トレイの設定等の各種情報の設定（入力）や表示を行うためのタッチパネル等である表示操作部１３４（トレイ利用設定手段の一例）と，各種情報を記憶するＳＲＡＭ等の記憶装置である情報記憶部１３５，前記プリンタエンジン１２により画像形成された記録紙（印刷物）を複数の前記出力トレイ１１のいずれに排出するかを制御する出力トレイ制御部１３６（トレイ選択手段の一例）と，前記表示操作部１３４により設定された前記出力トレイ１１ごとの利用者に関する情報（以下，トレイ利用設定情報という）及びその他の関連情報をＬＡＮ４０を介して前記機器管理サーバ３０に送信する設定情報送信部１３７（設定情報受信手段の一例）と，前記機器管理サーバ３０から前記トレイ利用設定情報や該情報に関連する各種情報を前記機器管理サーバ３０から受信する設定情報受信部１３８（設定情報受信手段及び設定トレイ実績情報取得手段の一例）とを具備している。
【００１８】
次に，図６を用いて前記プリンタ１０の前記表示操作部１３４によって設定される前記出力トレイ１１ごとの利用者に関する前記トレイ利用設定情報及びその他の関連情報について説明する。
図６は，前記プリンタ１０から前記機器管理サーバ３０に送信され，該機器管理サーバ３０のハードディスクに格納（登録）される前記トレイ利用設定情報及びその関連情報の構成を表すものである。
図６において，プリンタ名６１は前記プリンタ１０それぞれを識別する情報，稼動状態６２は前記プリンタ１０が印刷可能な「可動」状態であるか否かを表す情報（「エラー」は印刷できない状態であることを表す），出力トレイ名６３は複数の前記出力トレイ１１それぞれを識別する情報，最大出力枚数６４は前記出力トレイ１１ごとの記録紙の排出許容枚数を表す。
また，ホスト名６５は前記出力トレイ１１ごとの利用者を特定する情報として設定される情報であって各利用者が使用する前記ホスト装置２０の識別情報としてその名前が設定されるものである。
さらに，優先順位６６は複数の前記出力トレイ１１を１人の利用者が使用する設定を行なう場合に，該複数の出力トレイのうちいずれを優先するかについての情報を表す。ここでは，前記優先順位６６は，数値の小さいものほど優先度が高いことを表す。
これらの情報のうち，前記ホスト名６５及び前記優先順位６６は，前記プリンタ１０の前記表示操作部１３４から利用者によって設定される情報である。また，前記稼動状態６２は，前記機器管理サーバ３０からＬＡＮ４０接続されている全ての前記プリンタ１０に対して定期的に送信（ブロードキャスト送信）される応答要求に対して所定時間以内に応答が返信されてくるか否かによって前記機器管理サーバ３０が判別した結果情報である。その他の情報は前記プリンタ１０それぞれに予め設定されている情報である。また，これらの情報は，前記プリンタ１０の前記設定情報受信部１３８からの要求及び前記ホスト装置２０の前記プリンタドライバからの要求に応じて前記プリンタ１０及び前記ホスト装置２０に送信される。
【００１９】
ここで，前記プリンタ名６１，前記出力トレイ名６３，前記ホスト名６５，及び前記優先順位６６の組み合わせが前記トレイ利用設定情報である。
前記プリンタ１０の前記表示操作部１３４によって前記トレイ利用設定情報が設定される際には，前記プリンタ１０の前記情報記憶部１３５に記憶された前記トレイ利用設定情報，或いは前記設定情報受信部１３８によって前記機器管理サーバ３０に登録された当該プリンタ１０についての前記トレイ利用設定情報（前記設定トレイ実績情報の一例）が取得され（前記プリンタ１０からの要求に応じて前記機器管理サーバ３０が送信する），利用者が未設定の前記出力トレイ１１の中から利用者が使用する前記出力トレイ１１が選択される。そして，このような前記トレイ利用設定情報の設定は，前記ホスト装置２０の前記プリンタドライバによっても実行可能に構成されている。
このように，前記出力トレイ１１ごとの利用者を設定する際には，登録済みの前記トレイ利用設定情報（未登録の場合を含む）を参照することによって利用者が未設定の（使用可能な）前記出力トレイ１１を知ることができので，他の利用者に問い合わせることなく１つの前記出力トレイ１１に複数の利用者（のホスト装置）が重複設定されることを防止できる。
また，前記トレイ利用設定情報を用いることにより，利用者（の前記ホスト装置２０）が特定されれば，その利用者が使用するものとして設定された１又は複数の前記出力トレイ１１とその前記優先順位６６とを特定することができる。従って，後述するように，前記プリンタ１０において，前記印刷ジョブの送信者（の前記ホスト装置２０）を特定することにより，受信した前記印刷ジョブについての印刷物を前記出力トレイ１１のいずれに排出すべきであるかを特定（選択）することが可能となる。
【００２０】
次に，図７に示すフローチャートを用いて，前記プリンタコントローラ１３により制御される印刷処理の手順について説明する。図７に示す処理が開始される前に，図６に示した前記トレイ利用設定情報等の情報が予め前記機器管理サーバ３０に登録されているものとする。以下，Ｓ１０１，１０２，…は処理手順（ステップ）の番号を表す。
まず，前記ホスト装置２０から前記印刷ジョブ受信部１３１によって前記印刷ジョブが受信（Ｓ１０１）されると，所定のページカウンタ変数Ｎが初期化（＝１）される（Ｓ１０２）。ここで，前記印刷ジョブには，画像形成に関する情報の他に，当該印刷ジョブの送信者の識別情報として該送信者の使用する前記ホスト装置２０の前記ホスト名６５が含まれている。即ち，前記ホスト装置２０における前記プリンタドライバは，前記印刷ジョブに前記ホスト名６５を含めて送信する。
次に，前記印刷ジョブに含まれる情報に基づいて，該印刷ジョブによる印刷物の排出先とする前記出力トレイ１１が指定されているか（手動選択）指定されていない（自動選択）かが確認される（Ｓ１０３）。ここで，排出先とする前記出力トレイ１１が指定されている（手動選択である）場合（Ｓ１０３のＮｏ側）には，前記印刷ジョブ解析部１２及び前記印刷ジョブ制御部１３によって前記印刷ジョブに従った記録紙への画像形成がなされ，指定された前記出力トレイ１１に印刷物が排出された（Ｓ１１６）後，本印刷処理が終了する。
一方，前記印刷ジョブに前記印刷物の排出先とする前記出力トレイ１１が指定されていない（自動選択）場合（Ｓ１０３のＹｅｓ側）には，前記印刷ジョブに含まれる該印刷ジョブの送信者を識別するための前記ホスト名６５が前記印刷処理制御部１３３によって取得される（Ｓ１０４，前記送信者情報取得手段の処理の一例）。ここで，前記印刷ジョブの送信者を識別するための前記ホスト名６５は，前記印刷ジョブに含めるのではなく，前記プリンタ１０から前記ホスト装置２０に対して前記ホスト名６５の送信要求を行うことによって取得するするよう構成してもよい。
【００２１】
次に，前記設定情報受信部１３８によって，前記印刷ジョブの送信者が使用するように設定された（前記印刷ジョブの送信者が使用可能な）前記出力トレイ１１の前記出力トレイ名６３（当該プリンタ１０における前記出力トレイ１１の前記出力トレイ名６３）と前記優先順位６６とが前記機器管理サーバ３０から取得される（Ｓ１０５）。この取得の方法としては，前記表示操作部１３４から前記トレイ利用設定情報を設定した際に，設定情報を当該プリンタ１０の前記情報記憶部１３５に格納しておき，該情報記憶部１３５内の情報から該当する前記出力トレイ名６３と前記優先順位６６とを抽出する方法が考えられる。この他にも，自身の前記ホスト名とＳ１０４で取得された前記ホスト名（前記印刷ジョブの送信者の情報）とを前記機器管理サーバ３０に送信し，該機器管理サーバ３０から該当する前記出力トレイ名６３と前記優先順位６６とを取得（受信）する方法や，当該プリンタ１０についての前記トレイ利用設定情報全てを事前に或いはＳ１０６の実行時点で前記機器管理サーバ３０から取得し，該当する前記出力トレイ名６３と前記優先順位６６とを抽出する方法等も考えられる。
【００２２】
次に，所定のトレイカウンタ変数Ｉを１に初期化するとともに，Ｓ１０６で取得した前記出力トレイ名６３の数（前記印刷ジョブの送信者が使用可能な前記出力トレイ１１の数）を変数Ｊ（以下，利用可能トレイ数Ｊという）にセットし（Ｓ１０６），さらに，Ｓ１０６で取得した前記出力トレイ名６３を前記優先順位６６に従って並べる（ソートする）。以下，このように並べられた前記出力トレイ名６３に対応する前記出力トレイ１１を，優先度が高い（前記優先順位の値が小さい）ものから順に，１番目のトレイ，２番目のトレイ，…，Ｉ番目のトレイと呼ぶことにする。
【００２３】
次に，前記トレイカウンタ変数Ｉが前記利用可能トレイ数Ｊを超えない間，以下に示すＳ１０９〜Ｓ１１４の処理が繰り返される。
まず，前記出力トレイ制御部１３６によって印刷物の排出先としてＩ番目のトレイが選択（Ｉの初期値＝１）され，該Ｉ番目のトレイの前記最大出力枚数６４（排出許容枚数）が変数Ｍ（以下，排出許容枚数Ｍという）にセットされる（Ｓ１０９）。前述したＳ１０５，Ｓ１０７，及びＳ１０９の処理により，前記印刷ジョブの送信者の情報（前記印刷ジョブに含まれる前記ホスト名）と前記トレイ利用設定情報とに基づいて，印刷物の排出先とする前記出力トレイ１１が選択される。
次に，前記出力トレイ制御部１３６によって未印刷のページが残っているか否かが判別され（Ｓ１１０），未印刷ページがある場合には，さらに，前記ページカウンタ変数Ｎが前記排出許容枚数Ｍを超えているか否かが判別される。
ここで，前記ページカウンタ変数Ｎが前記排出許容枚数Ｍを超えていない場合には，前記プリンタエンジン１２によって画像形成された１ページ分（記録紙１枚分）の印刷物がＩ番目のトレイに排出され（Ｓ１１２），前記ページカウンタ変数Ｎが１ページ分カウントアップ（Ｓ１１３）された後，Ｓ１１０へ戻って処理が繰り返される。この繰り返しによって，前記ページカウンタ変数Ｎが前記排出許容枚数Ｍを超えた場合（Ｓ１１１のＹｅｓ側）には，前記トレイカウンタ変数Ｉが１つカウントアップされるとともに，前記ページカウンタ変数Ｎが初期化（Ｎ＝１）（Ｓ１１４）された後，Ｓ１０８へ戻って次に優先度の高い前記出力トレイ１１について前述した処理が繰り返される。
そして，Ｓ１１０において，前記印刷ジョブについて全てのページが印刷された（未印刷ページなし）と判別された場合（Ｓ１１０のＮｏ側）には，当該印刷処理が終了する。
このように，選択した前記出力トレイ１１への印刷物（記録紙）の排出枚数がその排出トレイ１１の排出許容枚数を超えないように，前記優先順位に従って印刷物の排出先（前記出力トレイ１１）が順次切り替えられるので，前記印刷ジョブによる印刷枚数が多い場合であっても，１つの前記出力トレイ１１に印刷物が溢れて排出されることを防止できる。
【００２４】
一方，Ｓ１０８において，前記トレイカウンタ変数Ｉが前記利用可能トレイ数Ｊを超えたと判別された場合，即ち，前記印刷ジョブの送信者が使用可能な前記出力トレイ１１全てにその排出許容枚数分の印刷物を排出してもなお，未印刷ページが残っている場合には，やむを得ず，現在選択されている前記出力トレイ１１に残りのページの印刷物が排出（Ｓ１１５）された後，印刷処理が終了する。もちろん，一旦印刷処理を中断して前記印刷ジョブを送信した前記ホスト装置２０に対してメッセージを通知したり，他の前記出力トレイ１１に排出する等，他の処理方法も考えられる。
【００２５】
次に，図８に示すフローチャートを用いて，前記機器管理サーバ３０に登録された所定のプログラムによって実行される前記プリンタ１０からの情報取得処理の手順について説明する。図８に示す処理は，前記機器管理サーバ３０において，所定の開始操作がなされた後，所定周期で自動実行される。
まず，前記開始操作において，当該機器管理サーバ３０とＬＡＮ接続された全ての前記プリンタ１０を自動検知する設定（自動設定）がなされていたか，利用者がＬＡＮ接続されている前記プリンタ１０全てを指定してその情報を取得する設定（手動設定）がなされていたかが判別され（Ｓ２０１），自動検知する設定（自動設定）がなされていたと判別されると，当該機器管理サーバ３０とＬＡＮ接続されている全ての前記プリンタ１０の検知（Ｓ２０２）及び所定の初期化処理（Ｓ２０３）とが行われた後，ＬＡＮ接続された全ての前記プリンタ１０それぞれから，前記トレイ利用設定情報の取得（Ｓ２０５），前記プリンタ１０の前記稼動状態６２の取得（Ｓ２０６），前記トレイ利用設定情報と前記稼動状態６２とをハードディスク装置へ保存（Ｓ２０７）の各処理を行った後，Ｓ２１０へ移行する。ここで，Ｓ２０４及びＳ２０８は，当該機器管理サーバ３０とＬＡＮ接続された全ての前記プリンタ１０から漏れなく情報を取得するための所定の制御処理である。
一方，Ｓ２０１において，利用者がＬＡＮ接続された前記プリンタ１０を指定してその情報を取得する設定（手動設定）がなされていたと判別された場合には，指定された前記プリンタ１０全てから前記利用設定情報が取得（Ｓ２０９）された後，Ｓ２１０へ移行する。
【００２６】
ところで，前記機器管理サーバ３０のハードディスク装置には，前記ホスト装置２０にインストールする際に用いる前記プリンタドライバのインストールファイルが格納されている。前記機器管理サーバ３０とＬＡＮ接続される前記ホスト装置２０において，前記プリンタドライバをインストールする際には前記機器管理サーバ３０から前記インストールファイルがダウンロードされて該インストールファイルに基づいて前記プリンタドライバがインストールされる。そして，前記インストールファイルは，前記プリンタドライバのインストールの際に前記トレイ利用設定情報も設定可能に構成されている。
そこで，Ｓ２１０では，前記プリンタドライバのインストールの際に，利用者が未設定の（使用可能な）前記出力トレイ１１についてのみ前記トレイ利用設定情報を設定可能とするように前記プリンタドライバの前記インストールファイルの内容を更新する。具体的には，登録済み（設定済み）の前記トレイ利用設定情報（前記プリンタ１０それぞれから取得した前記トレイ利用設定情報）に基づいて，利用者が未設定の（使用可能な）前記出力トレイ１１を，前記トレイ利用設定情報を設定可能な前記出力トレイの選択肢（設定トレイ実績情報の一例）として求め，該選択肢を前記インストールファイルに含める。
このような前記インストールファイルが前記ホスト装置２０にダウンロード（送信）されることにより，前記トレイ利用設定情報を設定する際に，他の利用者に設定済みの前記トレイ利用設定情報の内容を問い合わせることなく１つの前記出力トレイ１１に複数の利用者（のホスト装置）が重複設定されることを防止できる。
また，前記トレイ利用設定情報を設定可能な前記出力トレイの選択肢（設定トレイ実績情報の一例）は，前記ホスト装置２０に既にインストール済みの前記プリンタドライバから要求があった場合にも，前記プリンタドライバ（前記ホスト装置２０）に対して送信される（不図示）。これにより，前記ホスト装置２０において，前記トレイ利用設定情報を変更する場合にも，他の利用者に設定済みの前記トレイ利用設定情報の内容を問い合わせることなく１つの前記出力トレイ１１に複数の利用者（のホスト装置）が重複設定されることを防止できる。
Ｓ２１０の処理が終了すると，前記機器管理サーバ３０の処理が一旦終了し，所定時間後に（所定周期で）再度Ｓ２０１からの処理が繰り返される。
【００２７】
図４は，前記機器管理サーバ３０で実行されるプログラムの概略機能構成を表すブロック図である。
図４に示すように，前記機器管理サーバ３０により実行されるプログラムは，当該機器管理サーバ３０とＬＡＮ接続された前記プリンタ１０を検知するプリンタのネットワーク接続検知機能４１，検知された前記プリンタ１０それぞれの前記稼動状態６２を検知するプリンタの稼動状態検知機能４２，前記プリンタドライバの前記インストールファイルを更新するプリンタドライバのインストールファイル更新機能４３，前記プリンタ１０からの要求に応じて前記プリンタドライバの前記インストールファイルを配信（ダウンロード）するプリンタドライバ配信処理機能４４，図６に示したような前記プリンタ１０それぞれについての前記トレイ利用設定情報及びそれに関する情報を表示する設定情報表示機能４５，前記プリンタ１０や前記ホスト装置２０との間で前記トレイ利用設定情報及びそれに関する情報を送受信する設定情報送受信機能４６をそれぞれ実行可能に構成されている。
【００２８】
また，図５は，前記ホスト装置２０で実行される前記プリンタドライバの概略機能構成を表すブロック図である。
図５に示すように，前記プリンタドライバは，当該ホスト装置２０とＬＡＮ接続された前記プリンタ１０を検知するプリンタのネットワーク接続検知機能５１，前記機器管理サーバ３０から前記トレイ利用設定情報及びそれに関する情報を取得する設定情報取得機能５２，該設定情報取得機能５２により取得した前記トレイ利用設定情報（設定トレイ実績情報）に基づいて利用者が未設定の前記出力トレイ１１についてその利用者を設定するトレイ利用設定機能５３，前記設定情報取得機能５２により取得した前記トレイ利用設定情報を図９に示したように前記出力トレイ１１の選択肢として表示し，前記出力トレイ１１の手動設定（指定）を可能とする出力トレイ設定機能５４，前記印刷ジョブの生成及び前記プリンタ１０への送信を行う印刷ジョブ生成・送信機能５５，前記設定情報取得機能５２により取得した前記トレイ利用設定情報に基づいて重複した前記ホスト名６５が設定されないようにチェックを行いながら前記ホスト名６５の設定を行うホスト名設定機能５６，各種印刷条件（印刷部数や記録紙サイズ等）の設定を行う印刷条件設定機能５７をそれぞれ実行可能に構成されている。
【００２９】
次に，図９を用いて前記ホスト装置２０における前記印刷ジョブを送信する際の前記出力トレイ１１の選択機能について説明する。
図９は，前記ホスト装置２０の前記プリンタドライバにより，前記ホスト装置２０の表示装置に表示される出力トレイ選択画面の一例である。
前記ホスト装置２０において，所定の印刷データについての印刷開始操作がなされると，前記プリンタドライバの機能によって前記機器管理サーバ３０に対して当該ホスト装置２０に関連する前記トレイ利用設定情報及びその関連情報が要求される。図９は，その要求に対して返信されてきた前記トレイ利用設定情報に基づいて表示された画面である。図９の画面例に示される情報は，図６で示した前記機器管理サーバ３０における登録情報のうち，前記ホスト名６５として「ホストＡ」が設定されている情報に対応するものである。
図９に示すように，前記出力トレイ選択画面には，当該ホスト装置２０（の利用者）が使用可能な前記出力トレイ名６３のリストが，その出力トレイを備える前記プリンタ１０の前記プリンタ識別情報とともに前記優先順位６６に従った順番で上から順に表示される。前記出力トレイ名６３それぞれの左端に表示される黒塗り又は破線の四角枠は，前記稼動状態６２を表し，黒塗りの四角枠は「可動」，破線の四角枠は「エラー」を表している。さらに，選択ボタンとして「自動」ボタンＰｂ１と「手動」ボタンＰｂ２とが配置されており，「自動」ボタンＰｂ１が選択（操作）されると，前記印刷ジョブに前記出力トレイ１１を自動選択する旨の情報が含められ，「手動」ボタンＰｂ２が選択されると，利用者によって指定される前記出力トレイ名６３が，印刷物の出力先指定情報として前記印刷ジョブに含められる。即ち，「手動」ボタンＰｂ２を選択する場合は，表示されている前記出力トレイ名６３のリストが，使用可能な前記出力トレイ１１の選択肢となる。このように前記印刷ジョブに含められる情報に基づいて，前記プリンタ１０では，図７のＳ１０３に示した判別処理がなされる。
また，前記出力トレイ選択画面において，利用可能な前記出力トレイ１１が複数の前記プリンタ１０に渡っている場合（複数の前記プリンタ１０について前トレイ利用設定情報が設定されている場合）には，前記印刷ジョブを複数に分割してそれぞれ異なる前記プリンタ１０に送信する前記印刷ジョブの分割印刷設定を行うことも可能である。図９に示す例では，「部数分割印刷」の選択部７１が選択（指定）された場合には，前記印刷ジョブが複数部数を印刷する印刷ジョブである場合に，前記トレイ利用設定情報が設定されている前記プリンタ１０それぞれ（前記稼動状態が「エラー」のものを除く）で同等の部数ずつ印刷されるように前記印刷ジョブが分割される。同様に，「ページ分割印刷」の選択部７２が選択された場合には，記トレイ利用設定情報が設定されている前記プリンタ１０それぞれに対し同等のページ数の印刷物が印刷されるように前記印刷ジョブが分割される（例えば，全ページ数の前半部分と後半部分に分割する等）。これにより，前記印刷ジョブが複数の前記プリンタ１０において並行印刷されるので，印刷を早く終了させることができる。
また，「代行印刷」の選択部７３が選択された場合には，前記印刷ジョブを送信した前記プリンタ１０において，前記印刷ジョブの印刷処理を完了する前にエラー（前記稼動状態が「エラー」）が生じた場合に，次に優先順位の高い前記プリンタ１０に対して前記印刷ジョブを再送する処理（代行印刷処理）が行われる。
以上の設定（選択）を行った後，「ＯＫ」ボタンＰｂ３が操作されると，設定に応じた情報を含む前記印刷ジョブが前記プリンタドライバの処理によって前記プリンタ１０に送信される。この際，「自動」Ｐｂ１ボタンが選択されている場合には前記稼動状態６２が「可動」である前記プリンタ１０のうち最も前記優先順位６６の高い（値の小さい）前記出力トレイ１１を備えた前記プリンタ１０に対して前記印刷ジョブが送信され，「手動」Ｐｂ２ボタンが選択されている場合には，指定（選択）された前記出力トレイ１１を備えた前記プリンタ１０に対して前記印刷ジョブが送信される。
【００３０】
【実施例】
前述した実施の形態では，前記トレイ利用設定情報を前記プリンタ１０と前記ホスト装置２０とで設定可能に構成したが，前記機器管理サーバ３０に前記トレイ利用設定情報を設定する所定のプログラムを登録し，前記機器管理サーバ３０で設定可能とする構成であってもかまわない。
また，前述した実施の形態では，前記プリンタ１０ごとに自身の前記出力トレイ１１に関する前記トレイ利用設定情報を記憶するとともに，全ての前記プリンタ１０に関する前記トレイ利用設定情報を前記機器管理サーバ３０で一括して記憶（一括管理）する構成としたが，前記プリンタ１０には前記トレイ利用設定情報を記憶せず，必要に応じて前記プリンタ１０が前記機器管理サーバ３０から前記利用設定情報を取得するよう構成してもかまわない。
また，前記機器管理サーバ３０を設けない構成も考えられる。この場合，前記ホスト装置２０が前記プリンタ１０それぞれから前記トレイ利用設定情報及びその関連情報を取得するように前記プリンタドライバを構成すればよい。
【００３１】
【発明の効果】
以上説明したように，本発明によれば，印刷ジョブごとにその送信者が特定され，特定され送信者が複数の排紙トレイのいずれを使用するよう設定されているかを特定（排紙トレイを選択）できるので，常に予め設定された排紙トレイに印刷物が排出される。その結果，画像形成装置を共用する各利用者は，自己の印刷物の排出先（自己の使用する排紙トレイ）を容易に把握できる。
さらに，排紙トレイ利用に関する設定情報は，画像形成装置やデータ管理装置で一括して（まとめて）設定できる，或いは利用者が既に設定されている若しくは未だ設定されていない（未設定の）排紙トレイの情報を得た上で設定できるので，排紙トレイに利用者設定を行うごとに他の利用者の設定状況を問い合わせる手間を要することなく使用する前記排紙トレイの重複設定を防止できる。
【図面の簡単な説明】
【図１】本発明の実施の形態に係る画像形成システムＸの全体構成図。
【図２】本発明の実施の形態に係る画像形成システムＸを構成するプリンタの主要部の概略構成を表すブロック図。
【図３】本発明の実施の形態に係る画像形成システムＸを構成するプリンタが具備するプリンタコントローラの概略構成を表すブロック図。
【図４】本発明の実施の形態に係る画像形成システムＸを構成する機器管理サーバが実行するプログラムの概略機能構成を表すブロック図。
【図５】本発明の実施の形態に係る画像形成システムＸを構成するホスト装置にインストールされるプリンタドライバの概略機能構成を表すブロック図。
【図６】本発明の実施の形態に係る画像形成システムＸを構成する機器管理サーバに登録されるトレイ利用設定情報及びその関連情報の構成を表す図。
【図７】本発明の実施の形態に係る画像形成システムＸを構成するプリンタのプリンタコントローラの処理手順を表すフローチャート。
【図８】本発明の実施の形態に係る画像形成システムＸを構成する機器管理サーバにおけるプリンタからの情報取得処理の手順を表すフローチャート。
【図９】本発明の実施の形態に係る画像形成システムＸを構成するホスト装置における排出トレイ設定画面を表す図。
【符号の説明】
１０…プリンタ（画像形成装置）
１１…出力トレイ（排出トレイ）
１２…プリンタエンジン
１３…プリンタコントローラ
２０…ホスト装置（印刷ジョブ出力装置）
３０…機器管理サーバ（データ管理サーバ）
４１…プリンタのネットワーク接続検知機能
４２…プリンタの稼動状態検知機能
４３…プリンタドライバのインストールファイル更新機能
４４…プリンタドライバ配信処理機能
４５…設定情報表示機能
４６…設定情報送受信機能
５１…プリンタのネットワーク接続検知機能
５２…設定情報取得機能
５３…トレイ利用設定機能
５４…出力トレイ設定機能
５５…印刷ジョブ生成・送信機能
５６…ホスト名設定機能
５７…印刷条件設定機能
６１…プリンタ名
６２…稼動状態
６３…出力トレイ名
Ｐｂ１，Ｐｂ２，Ｐｂ３…操作ボタン
６４…最大出力枚数（排出許容枚数）
６５…ホスト名（利用者の識別情報）
６６…優先順位
７１…「部数分割印刷」の選択部
７２…「ページ分割印刷」の選択部
７３…「代行印刷」の選択部
１３１…印刷ジョブ受信部
１３２…印刷ジョブ解析部
１３３…印刷処理制御部
１３４…表示操作部
１３５…情報記憶部（設定情報記憶手段）
１３６…出力トレイ制御部（トレイ選択手段）
１３７…設定情報送信部
１３８…設定情報受信部
Ｓ１０１，Ｓ１０２，，…処理手順（ステップ）
【図１】
2004155536.tif 000003
【図２】
2004155536.tif 000004
【図３】
2004155536.tif 000005
【図４】
2004155536.tif 000006
【図５】
2004155536.tif 000007
【図６】
2004155536.tif 000008
【図７】
2004155536.tif 000009
【図８】
2004155536.tif 000010
【図９】
2004155536.tif 000011